(57)【特許請求の範囲】
【請求項１】
手提げバッグ（２）をバックポケット兼用としてシートバック（１）の背裏側に雄雌のスナップホック（３ａ〜６ａ，３ｂ〜６ｂ）で着脱自在に備える手提げバッグ付き自動車用シートにおいて、
上端側を物品の出入れ口として開閉可能な袋状のバック本体（２０）を有し、シートバック（１）の背裏面との相対面に取り付けるスナップホック（３ｂ〜６ｂ）をバッグ本体（２０）の四隅に備え、更に、上端側をバッグ本体（２０）の裏面側に取り付けて下端側を自由端とする下げ帯（２１ａ，２１ｂ）をバッグ本体（２０）の裏面側に設けると共に、バック本体（２０）の下隅部に備えるスナップホック（５ｂ，６ｂ）を下げ帯（２１ａ，２１ｂ）の自由端側に取り付け、物品の収納によりバッグ本体（２０）をシートバック（１）の背裏側に脹れ出させるゆとりを下げ帯（２１ａ，２１ｂ）で持たせた手提げバッグ（２）を装備してなることを特徴とする手提げバッグ付き自動車用シート。
【請求項２】
バッグ本体（２０）の相対する上端縁の内側に沿って備える面ファスナ（７ａ，７ｂ、８ａ，８ｂ）により、物品の出入れ口を開閉自在に仕立てた手提げバッグ（２）を装備してなることを特徴とする請求項１に記載の手提げバッグ付き自動車用シート。
【請求項３】
バッグ本体（２０）の内部に折込み可能な一対の手提げストラップ（２２，２３）を出入れ口の相対する前後の上端縁に取り付けた手提げ袋（２）を装備してなることを特徴とする請求項１または２に記載の手提げバッグ付き自動車用シート。
【請求項４】
手提げストラップ（２２，２３）の付け根と、バッグ本体（２０）の上端縁との相対面に備える面ファスナ（７ａ，７ｂ、８ａ，８ｂ、９ａ，９ｂ、１０ａ，１０ｂ）により、手提げストラップ（２２，２３）をバッグ本体（２０）の内部に折込み係着可能に仕立てた手提げバッグ（２）を装備してなることを特徴とする請求項３に記載の手提げバッグ付き自動車用シート。
【発明の詳細な説明】
【０００１】
【発明の属する技術分野】
本発明は、シートバックの背裏面積を有効活用し、且つ、物品の収納設備として有効利用を図れる手提げバッグ付き自動車用シートに関するものである。
【０００２】
【従来の技術】
一般に、自動車用シートにおいては、物品の収納設備としてバックポケットをシートバックの背裏に設けることが行われている。このバックポケットは、専らリア側の乗員が物品を出し入れするのに用いられており、その用途が限定されている。
【０００３】
【発明が解決しようとする課題】
本発明は、シートバックのバックポケットとしてだけでなく、ショッピング用やアウトドアグッズ用として広範な用途に利用可能な物品の収納設備を設けることにより、シートバックの背裏面積を有効活用し、且つ、物品の収納設備として有効利用を図れる手提げバッグ付きの自動車用シートを提供することを目的とする。
【０００４】
【課題を解決するための手段】
本発明の請求項１に係る手提げバッグ付き自動車用シートにおいては、手提げバッグをバックポケット兼用としてシートバックの背裏側に雄雌のスナップホックで着脱自在に備えるもので、
上端側を物品の出入れ口として開閉可能な袋状のバック本体を有し、シートバックの背裏面との相対面に取り付けるスナップホックをバッグ本体の四隅に備え、更に、上端側をバッグ本体の裏面側に取り付けて下端側を自由端とする左右対の下げ帯をバッグ本体の裏面側に設けると共に、バック本体の下隅部に備えるスナップホックを下げ帯の自由端側に取り付け、物品の収納によりバッグ本体をシートバックの背裏側に脹れ出させるゆとりを下げ帯で持たせた手提げバッグを装備することにより構成されている。
【０００５】
本発明の請求項２に係る手提げバッグ付き自動車用シートにおいては、バッグ本体の相対する上端縁の内側に沿って備える面ファスナにより、物品の出入れ口を開閉自在に仕立てた手提げバッグを装備することにより構成されている。
【０００６】
本発明の請求項３に係る手提げバッグ付き自動車用シートにおいては、バッグ本体の内部に折込み可能な一対の手提げストラップを出入れ口の相対する前後の上端縁に取り付けた手提げ袋を装備することにより構成されている。
【０００７】
本発明の請求項４に係る手提げバッグ付き自動車用シートにおいては、手提げストラップの付け根と、バッグ本体の上端縁との相対面に備える面ファスナにより、手提げストラップをバッグ本体の内部に折込み係着可能に仕立てた手提げバッグを装備することにより構成されている。
【０００８】
【発明の実施の形態】
以下、添付図面を参照して説明すると、図示実施の形態は、図１並びに図２で示すようにフロントシートのシートバック１における物品の収納設備として手提げバッグ２をシートバック１の背裏に装備することから構成されている。その手提げバッグ２は、上端側を物品の出入れ口として開閉可能な袋状のバック本体２０を有し、バッグ本体２０を含む主要部が布材の縫製で布製のものとして仕立てられている。
【０００９】
その手提げバッグ２は、バッグ本体２０の四隅に相応させてシートバック１の背裏面とバッグ本体２０の相対面とに備える雄雌のスナップホックにより、シートバック１の背裏面に着脱自在に装備されている。このスナップホックのうち、雄側３ａ〜６ａはシートバック１の背裏側に取り付けられている（図１並びに図２参照）。雌側３ｂ〜６ｂは、図３並びに図４で示すようにバッグ本体２０の後面側に取り付けられている。
【００１０】
そのスナップホック３ａ〜６ａ，３ｂ〜６ｂによっては、手提げバッグ２として簡単に着脱自在に装備できると共に、物品による荷重を受けても外れない物品の収納設備として装備できる。また、スナップホックの突起物となる雄側３ａ〜６ａをシートバック１の背裏側に備え付けるため、手提げバッグ２として携帯する際に、バッグ本体２０にはスナップホックによる突起物がないところから好ましい。
【００１１】
スナップホックの雌側３ｂ〜６ｂのうち、下部側のもの５ｂ，６ｂは上端縁をバッグ本体２０に縫い付けて下端側を自由端とする左右対の下げ帯２１ａ，２１ｂに取り付けられている（図３並びに図４参照）。その下部側のもの５ｂ，６ｂは、下げ帯２１ａ，２１ｂの自由端となる下端側に備え付けられている。この下げ帯２１ａ，２１ｂにより、手提げバッグ２にはバッグ本体２０がシートバック１の背裏側に膨れ出すゆとりが持たされている。
【００１２】
バッグ本体２０は、図５並びに図６で示すように横長な長方形に裁断された前面地２０ａと後面地２０ｂを備え、互いの両脇を縫い合せて扁平な袋状に仕立てられている。これと共に、二つ折り可能な底面マチ２０ｃをバッグ本体２０の底部に縫い合わすことから、上端側が物品の出入れ口となる袋状に縫製されている。その袋形態により、袋本体２０が大きく膨らみ出さないと共に、物品の収納容積を大きく確保できる。
【００１３】
物品の出入れ口は、図３並びに図５で示すようにバッグ本体２０の相対する上端縁の内側に沿って備える面ファスナ７ａ，７ｂ、８ａ，８ｂで開閉自在に仕立てられている。この面ファスナ７ａ，７ｂ、８ａ，８ｂにより、収納物品が不用意に落ち出すのを防げ、また、バッグ本体２０がシートバック１の背裏側で口から垂れ出すような事態も防げる。
【００１４】
物品の出入れ口には、手提げストラップ２２，２３が両端部を出入れ口の相対する前後の上端縁に各々縫着することによりループ状に取り付けられている。その手提げストラップ２２，２３は、図３並びに図５と共に、図７で示すように付け根の内側に備える面ファスナ９ａ，９ｂ，１０ａ，１０ｂと、バッグ本体２０の上端縁寄り内側に備える面ファスナ７ａ，７ｂ、８ａ，８ｂでバッグ本体２０の内部に折込み係着可能に取り付けられている。これにより、手提げストラップ２２，２３は不要時邪魔にならないようバッグ本体２０の内部に収められる。
【００１５】
上述した構成各部に加えて、バック本体２０の前面側には、図２並びに図５で示すようにネット地を縫い付けることにより、内部の見えるサイドポケット２４が設けられている。そのサイドポケット２４は、手提げストラップ２２をバック本体２０の前面側に延長させて縫い付けることから三つに区画された小袋として設けられている。このサイドポケット２４により、物品の収納スペースを多く確保でき、また、忘れ易い物品でも見易く収納できる。
【００１６】
バック本体２０の後面側には、図３並びに図６で示すように長さ調整可能な肩掛けストラップ２５ａ，２５ｂが備え付けられている。この肩掛けストラップ２５ａ，２５ｂは、下端側を止めリング１１ａ，１１ｂに挿通し、長さ調整用のバックル１２ａ，１２ｂを上端側に備えて長さ調整可能に取り付けられている。その肩掛けストラップ２５ａ，２５ｂにより、手提げバッグ２はリックサックとしても兼用できる。
【００１７】
【発明の効果】
以上の如く、本発明に係る手提げバッグ付き自動車用シートに依れば、多機能な用途を備え、また、使い勝手のよい手提げバッグをシートバッグの背裏に備えることにより、シートバックの背裏面積を有効活用し、且つ、物品の収納設備として有効利用を図ることができる。
【図面の簡単な説明】
【図１】本発明に係る自動車用シートを手提げバッグの取外し状態で示す斜視図である。
【図２】図１の自動車用シートを手提げバッグの取付け状態で示す斜視図である。
【図３】図１の自動車用シートに備えられる手提げバッグを示す背面図である。
【図４】図３の手提げバッグを示すＡ−Ａ線断面図である。
【図５】図１の自動車用シートに備えられる手提げバッグを示す正面図である。
【図６】図３の手提げバッグを示すＢ−Ｂ線断面図である。
【図７】図６の手提げバッグを肩掛けストラップの引出し状態で示す断面図である。
【符号の説明】
１                シートバッグ
２                手提げバッグ
２０              バッグ本体
２０ａ            バッグ本体の前面地
２０ｂ            バッグ本体の後面地
２１ａ，２１ｂ    下げ帯
２２，２３        手提げストラップ
２４              サイドポケット
２５ａ，２５ｂ    肩掛けストラップ
３ａ，３ｂ…      スナップホック
７ａ，７ｂ…      出入れ口の面ファスナ
９ａ，９ｂ…      手提げストラップの面ファスナ
１２ａ，１２ｂ    肩掛けストラップの長さ調整用バックル
【図１】
0003568910.tif 000002
【図２】
0003568910.tif 000003
【図３】
0003568910.tif 000004
【図４】
0003568910.tif 000005
【図５】
0003568910.tif 000006
【図６】
0003568910.tif 000007
【図７】
0003568910.tif 000008